(57)【要約】      （修正有）【課題】機能が改良されたホログラフィックディスクを提供する。【解決手段】ホログラフィックデータ記憶ディスク１０は、複数のマルチメディアコンテンツ１１を含み、これらのマルチメディアの少なくとも１つは、１つ又は複数の暗号鍵でロックされている。他の一実施形態では、改良されたホログラフィックデータ記憶ディスクを提供する方法が提供される。方法は、複数のマルチメディアコンテンツを提供するステップを含み、これらのマルチメディアの少なくとも１つが、１つ又は複数の暗号鍵でロックされている。本方法はまた、許可されたユーザの要求に応じて上記マルチメディアをロック解除する暗号化解除システムを提供するステップを含む。【選択図】図１
2011070760.tif 000002
【特許請求の範囲】
【請求項１】
複数のマルチメディアコンテンツ（１１）を含み、前記マルチメディア（１１）の少なくとも１つが１つ又は複数の暗号鍵でロックされている、ホログラフィックデータ記憶ディスク（１０）。
【請求項２】
前記マルチメディアコンテンツ（１１）は、異なる複数の解像度のマルチメディアコンテンツを含む、請求項１に記載のディスク（１０）。
【請求項３】
前記マルチメディアコンテンツ（１１）は、埋め込みビットストリームフォーマットのオーディオ又はビデオを含み、別々のレイヤ（１２、１４、１６）に別々の暗号鍵が割り当てられる、請求項１に記載のディスク（１０）。
【請求項４】
前記複数のマルチメディアコンテンツ（１１）は、１つ又は複数の映画を含むアップグレード可能な番組を含み、それぞれの映画を見るために、並びにそれぞれの映画に対応する予告編をロック解除するために、前記１つ又は複数の暗号鍵が必要である、請求項１に記載のディスク（１０）。
【請求項５】
前記複数のマルチメディアコンテンツ（１１）は、異なる複数のバージョンのビデオゲームを含む、請求項１に記載のディスク（１０）。
【請求項６】
前記複数のマルチメディアコンテンツ（１１）は、複数の特定リージョンで再生可能な異なる複数のバージョンの映画を含む、請求項１に記載のディスク（１０）。
【請求項７】
改良されたホログラフィックデータ記憶ディスクを提供する方法（１００）であって、
複数のマルチメディアコンテンツを提供するステップ（１０２）であって、前記マルチメディアの少なくとも１つが、１つ又は複数の暗号鍵でロックされているステップと、
許可されたユーザの要求に応じて前記マルチメディアをロック解除する暗号化解除システムを提供するステップ（１０４）と、
を含む方法。
【請求項８】
複数のマルチメディアコンテンツを提供する前記ステップは、異なる複数の解像度の前記マルチメディアコンテンツを提供することを含む、請求項７に記載の方法（１００）。
【請求項９】
複数のマルチメディアコンテンツを提供する前記ステップは、１つ又は複数の映画を提供することを含み、それぞれの映画を見るために、並びにそれぞれの映画に対応する予告編をロック解除するために、前記１つ又は複数の暗号鍵が必要である、請求項７に記載の方法（１００）。
【請求項１０】
複数のマルチメディアコンテンツを提供する前記ステップは、前記１つ又は複数の暗号鍵を、前記ディスク上に配置すること、外部メディアに配置すること、通信チャネルを介してダウンロードすることのうちの少なくとも１つを含む、請求項７に記載の方法（１００）。
【発明の詳細な説明】
【技術分野】
【０００１】
本発明は、主にホログラフィックディスク記憶装置に関し、特に、機能が改良されたホログラフィックディスクに関する。
【背景技術】
【０００２】
コンピューティング能力の向上に伴い、コンピューティング技術は、とりわけ民生用ビデオ、データアーカイブ、文書記憶、画像生成、映画制作などの新しい分野に適用されつつある。このような適用により、データ記憶技術の発達が継続的に促され、記憶容量の増加に繋がっている。更に、記憶容量の増加により、とりわけゲームの分野において開発者の当初の予想をはるかに上回る技術の発達が可能になり、技術の発達が進んだ。
【０００３】
光学式記憶システムの記憶容量が次第に増加していくのは、データ記憶技術の発達の好例である。１９８０年代の初めに開発されたコンパクトディスク（ＣＤ）フォーマットの容量は、データの場合で６５０〜７００ＭＢ前後、２チャネルオーディオプログラムの場合で７４〜８０分前後である。これに対し、１９９０年代の初めに開発されたデジタル多用途ディスク（ＤＶＤ）フォーマットの容量は、４．７ＧＢ前後（シングルレイヤ）又は８．５ＧＢ前後（デュアルレイヤ）である。このように大きくなったＤＶＤの記憶容量は、旧来のビデオ解像度（例えば、ＰＡＬであれば約７２０（ｈ）×５７６（ｖ）画素、ＮＴＳＣであれば約７２０（ｈ）×４８０（ｖ）画素）の長編映画をノーカットで記憶するのに十分である。
【０００４】
しかし、高精細テレビジョン（ＨＤＴＶ）（１０８０ｐの場合は約１９２０（ｈ）×１０８０（ｖ）画素）のような、より高解像度のビデオフォーマットが普及してきたことにより、これらの解像度で記録された長編映画をノーカットで保持できる記憶フォーマットが望まれるようになってきた。これによって、Ｂｌｕ−ｒａｙ  Ｄｉｓｃ（商標）フォーマットのような大容量記録フォーマットの開発が促された。Ｂｌｕ−ｒａｙ  Ｄｉｓｃ（商標）フォーマットでは、シングルレイヤディスクで約２５ＧＢ、デュアルレイヤディスクで約５０ＧＢを保持することが可能である。ビデオディスプレイの解像度、及び、他の技術が発達し続けるにつれて、より大きな容量を有する記憶メディアが益々重要になるであろう。今後しばらくの間の容量要件を満たし得る、発達途上の記憶技術の１つとして、ホログラフィック記憶に基づく記憶技術がある。
【０００５】
ホログラフィック記憶は、ホログラムの形でのデータ記憶であり、ホログラムは、感光性記憶メディア内で２つの光ビームの交差によって生成される三次元干渉パターンの画像である。ページ単位のホログラフィック技術と、ビット単位のホログラフィック技術との両方が追究されている。ページ単位のホログラフィックデータ記憶では、記憶メディアの体積内で、デジタルエンコードされたデータを含むデータビームを参照ビームに重畳させると、結果として化学反応が起こり、この化学反応は、例えばその体積内のメディアの屈折率の変化又は変調をもたらす。この変調は、信号の強度情報及び位相情報の両方を記録するように作用する。したがって、各ビットは、主に干渉パターンの一部として記憶される。ホログラムはその後、記憶メディアを参照ビームのみにさらすことによって取り出される。この参照ビームは、記憶されているホログラフィックデータと相互作用を起こし、これによって、ホログラフィック画像の記憶に用いられた最初のデータビームに比例した再構築データビームが生成される。
【０００６】
ビット単位のホログラフィ、すなわち、マイクロホログラフィックデータ記憶では、各ビットが、典型的には、互いに対して逆方向に進行する２つの収束記録ビームによって生成されるマイクロホログラム又は反射グレーティングとして書き込まれる。このデータは、その後、読み取りビームを用いてマイクロホログラムを回折させて記録ビームを再構築することにより、取り出される。したがって、マイクロホログラフィックデータ記憶は、ページ単位のホログラフィック記憶よりも現行の技術に近い。一方、ＤＶＤフォーマットやＢｌｕ−ｒａｙ  Ｄｉｓｃ（商標）フォーマットで使用可能な２レイヤのデータ記憶と比較すると、ホログラフィックディスクは、５０又は１００レイヤのデータ記憶が可能なので、データ記憶容量はテラバイト（ＴＢ）単位で計測されるほどになる。
【０００７】
ホログラフィック記憶システムでは、先行の光学式システムよりもかなり大きな記憶容量が得られ、更に、機能をより強化して、これに限定されないが例えばより高解像度で、マルチメディアを記録できるかもしれない。現行の再生システムはどれも、このような機能強化を活用できないので、ホログラフィックディスクの購入者もこの機能強化を活用できず、購入に見合う利益が得られない。
【先行技術文献】
【特許文献】
【０００８】
【特許文献１】米国特許第５５７６８４３号
【発明の概要】
【発明が解決しようとする課題】
【０００９】
したがって、ホログラフィックディスク技術を用いて様々な機能強化を提供できるように改良された技術が必要である。
【課題を解決するための手段】
【００１０】
本発明の一実施形態により、ホログラフィックデータ記憶ディスクを提供する。このホログラフィックデータ記憶ディスクは、複数のマルチメディアコンテンツを含み、これらのマルチメディアの少なくとも１つは、例えば暗号化によってロックされるなど、１つ又は複数の暗号鍵でロックされている。
【００１１】
本発明の別の実施形態により、改良されたホログラフィックデータ記憶ディスクを提供する方法を提供する。この方法は、複数のマルチメディアコンテンツを提供するステップを含み、これらのマルチメディアの少なくとも１つが、１つ又は複数の暗号鍵でロックされている。本方法はまた、許可されたユーザの要求に応じて上記マルチメディアをロック解除する暗号化解除システムを提供するステップを含む。
【００１２】
全図面を通して同様の構成要素には同様の参照符号を付与した添付図面を参照しながら以下の詳細な説明を読むことにより、本発明による、これらとその他の特徴、態様、利点の理解を深めることができよう。
【図面の簡単な説明】
【００１３】
【図１】本発明の一実施形態による、複数の暗号鍵を利用する、機能が改良されたホログラフィックディスクからの読み出しを行うシステムの概略図である。
【図２】様々な再生品質を可能にする埋め込みビットストリームフォーマットのブロック図である。
【図３】本発明の一実施形態による、図１のシステムと結合されて暗号化鍵を提供する暗号化解除システムの概略図である。
【図４】本発明の一実施形態による、改良されたホログラフィックデータ記憶ディスクを提供する例示的方法の各ステップを表すフローチャートである。
【発明を実施するための形態】
【００１４】
以下で詳述するように、本発明の実施形態は、機能が改良されたホログラフィックデータ記憶ディスクと、これを提供する方法とを含む。このシステム及び方法は、ディスク上の選択的マルチメディアコンテンツをロックするために暗号鍵を用いる。これにより、複数の種類のマルチメディアコンテンツに対して別々のディスクを製造するのではなく、様々な種類のマルチメディアコンテンツを同じディスクに記録することが可能になる。
【００１５】
図面を参照すると、図１は、ホログラフィックデータ記憶ディスク１０の概略図である。ディスク１０は、例えば参照符号１１で示した複数のマルチメディアコンテンツを、別々のレイヤ１２、１４、及び１６にそれぞれ含んでいる。図示した実施形態ではホログラフィックディスク１０に３つのレイヤが描かれているが、任意の数のレイヤを含めてよい。他の実施形態では、別の構成でマルチメディアコンテンツを記憶することが可能であることを理解されたい。一例では、マルチメディアコンテンツのロケーションは、ディスク１０の特定のレイヤを基準として、その特定のレイヤの最外周トラックに対してある角度をなす位置として識別される。データフォーマッティングの詳細については、２００８年１２月１７日に出願され、本出願と同じ譲受人に譲渡され、参照によりその全体が本明細書に組み込まれている、同時係属中の米国特許出願第１２／３３７４５７号（件名「データディスクのフォーマット及び読み取り方法（ＭＥＴＨＯＤ  ＦＯＲ  ＦＯＲＭＡＴＴＩＮＧ  ＡＮＤ  ＲＥＡＤＩＮＧ  ＤＡＴＡ  ＤＩＳＫＳ）」）を参照されたい。
【００１６】
ディスク１０内のマルチメディアコンテンツの一部又は全てが、１つ又は複数の暗号鍵（図示せず）でロックされている。ディスク１０は、中心軸２６及び光学式読み取り装置２８のまわりを回転する。光学式読み取り装置２８は、読み取りビームを発し、反射ビームを受信する。これらはいずれも参照符号３２で示されている。図１を参照すると、処理装置３６が、反射ビームからのデータを処理してデータストリーム４２を出力する。データストリーム４２の更なる処理には、データストリーム４２のすべて又は一部のシンボルの暗号化解除が含まれる（シンボルの暗号化解除を全く行わない場合もある）。これについては、図２でも説明する。メタデータが、プリアンブル、又はディスク１０上でホストされているテーブル、又はディスク１０の外部のテーブルに存在して、データストリーム４２のうちの、暗号鍵で暗号化されている部分を指定する。暗号鍵は、データストリーム４２の各部分の暗号化解除に用いられる。
【００１７】
一実施形態では、初期製造工程において、複数の暗号鍵をディスク１０上に配置できるように、暗号鍵は、ディスク上の、物理的に隔離された、特定可能な位置に配置された後、ある時間を経て、選択的に破壊又は消去される。これにより、ディスク１０上の様々なバージョンのメディアのラージセットを暗号化解除するのに必要な鍵を含むディスクを均質に製造することが可能になる。秘密鍵を破壊又は消去することにより、そのようなディスクを選択的にダウングレードして、様々な独自の製品を作製することも可能である。別の実施形態では、暗号鍵は、外部メディアに配置されるか、妥当性確認済みの要求に応じて通信チャネルを介してダウンロードされる。本明細書において、暗号鍵とは、暗号システムを使用できるようにセットアップ又は構成する、秘密の量（ｓｅｃｒｅｔ  ｑｕａｎｔｉｔｉｅｓ）を意味する。
【００１８】
なお、本発明のタスク処理を実行するにあたり、本発明の実施形態はいかなる特定の処理装置にも限定されない。本明細書において「処理装置」という用語は、本発明のタスクの実行に必要な演算又は計算を実行し得る任意の機械を意味する。また、「処理装置」という用語は、構造化入力を受け入れ、所定の規則に従ってこの入力を処理して出力を生成し得る任意の機械を意味する。また、本明細書において「〜ように構成され」という表現は、当業者には明らかなように、本発明のタスクを実行するためのハードウェア及びソフトウェアの組み合わせが処理装置に備えられていることを意味する。
【００１９】
マルチメディアコンテンツは、様々な可能性を含み得る。実施形態によっては、マルチメディアコンテンツは、暗号鍵でロック解除可能な、異なる複数の解像度のマルチメディアコンテンツが含むこともある。別の実施形態では、マルチメディアコンテンツは、オーディオ又はビデオのコンテンツの埋め込みコードを含む。また別の実施形態では、マルチメディアコンテンツは、１つ又は複数の映画を有するアップグレード可能な番組を含んでおり、それぞれの映画を見たり、それぞれの映画に対応する予告編をロック解除したりするためには、その１つ又は複数の暗号鍵が必要となる。別の実施形態では、マルチメディアコンテンツは、複数のバージョンのビデオゲームを含んでおり、低グレードのバージョンはロックされておらず、高グレードのバージョンはロックされている。別の例示的実施形態では、マルチメディアコンテンツは、異なる複数の特定リージョンで再生可能な複数のバージョンの映画を含む。
【００２０】
一実施形態において、マルチメディアコンテンツは、コマーシャルや予告編やプレビューがない状態で再生される１つ又は複数のバージョンの映画を含む。別の実施形態では、マルチメディアコンテンツは、様々なデジタル権利管理システム又はポリシーを有するマルチメディアを含む。別の実施形態では、マルチメディアコンテンツは、英語、スペイン語、フランス語などの様々な言語で話されているバージョンを含んでおり、該当する暗号鍵でこれらの言語のそれぞれをオンにすることができる。一実施形態では、マルチメディアコンテンツは、時間の変化に依存する情報を含む。別の実施形態では、マルチメディアコンテンツは、ロック解除する必要がある暗号鍵のセット又はメニューを含む。別の実施形態では、マルチメディアコンテンツは「賞品（ｐｒｉｚｅ）」である。一例を挙げると、特定の日に解除可能になる鍵があり、その鍵と一致するディスク１０が「賞品」になる。別の例示的実施形態では、マルチメディアコンテンツは、対応する暗号鍵の解除の時間スケジュールが異なる複数のマルチメディアを含む。別の実施形態では、新しいコンテンツをリリースする前に、グループ内のユーザの間で２つ以上の鍵が必要になる場合がある。例えば、マルチプレーヤゲームでは、新しいコンテンツが、新しい魔力や新しいツールや新しく探検する国である場合がある。
【００２１】
マルチメディアコンテンツの一例示的実施形態は、複数の階層型暗号化ビットストリームを有する埋め込みビットストリームフォーマットのメディアを含む。埋め込みビットストリームフォーマットは、マルチメディアの再生品質を総ビットレートに比例して徐々に高めることを可能にする。埋め込みビットストリームフォーマットは、その最低限の送信レートを表すコアビットストリームをベースとする。追加で階層型二次ビットストリームをデコードすることが可能であり、その結果を、デコードされたコアビットと組み合わせて、より高品質の再生を行うことができる。各二次ストリームは、低階層ストリームでは利用できない情報を搬送する。一例を挙げると、埋め込みビットストリームは、再生品質に関して３種類のフォーマットを有する。第１のフォーマットは、１６ビット、４８ｋＨｚの標準オーディオコンパクトディスク（ＣＤ）品質であり、第２のフォーマットは、２４ビット、４８ｋＨｚのスーパーＣＤ品質であり、第３のフォーマットは、２４ビット、９６ｋＨｚの高精細品質である。これを図２に示す。上段の信号処理パス４４が、標準ＣＤ品質信号を再生し、中段のパス４６が、スーパーＣＤ品質を再生する。下段の信号処理パス４８が、９６ｋＨｚサンプリングレートで与えられる追加帯域幅を追加し、パス４８の出力４９が、中段パス４６の出力５１と加算されて、高精細出力信号５２が生成される。スイッチ５３が、Ｄ／Ａ変換器５４に送られる再生フォーマットを選択する。スイッチ５３は、運用時の暗号化解除鍵によって制御される。
【００２２】
図２に示した構成は、単一の２４ビット、９６ｋＨｚのＤ／Ａ変換器とともに動作して、この実施形態の３種類のフォーマットのすべてを再生する。これは、１：２内挿フィルタ５５と、上部帯域信号（２４〜４８ｋＨｚ）を４８ｋＨｚサンプリングレートによる第２ナイキストゾーン信号としてエンコードすることにより可能になる。１：２内挿フィルタ５５は、ゼロフィルアップサンプラを含んでおり、その後にハーフバンドローパスフィルタ又はハーフバンドハイパスフィルタを含んでいる（ゼロフィルアップサンプラは、オリジナルサンプルストリームの各オリジナルサンプル間にゼロ値サンプルを追加することによって、サンプリングレートを倍にする）。これらのフィルタの出力を、９６ｋＨｚのＤ／Ａ変換器５４に直接供給することが可能である。
【００２３】
図３は、データストリーム４２の暗号化部分を暗号化解除してメディアプレゼンテーション装置６４に渡すシステム６０の概略図である。処理装置３６（図１）は、暗号化データストリーム４２（図１）を出力フォーマッタ６８に送信する。出力フォーマッタ６８は、データストリーム４２を受信し、データストリーム４２の指定された部分を暗号化解除機構７２で暗号化解除する。暗号化解除の実行には、例えばこれに限らないが、Ａｄｖａｎｃｅｄ  Ｅｎｃｒｙｐｔｉｏｎ  Ｓｔａｎｄａｒｄ（ＡＥＳ）などの標準的な暗号化解除アルゴリズムを用いる。出力フォーマッタ６８は、暗号化解除されたデータストリーム７４をフォーマットして、フォーマット済みデータストリーム７６を出力する。フォーマット済みデータストリーム７６は、最初に暗号化され、この時点では暗号化解除されているマルチメディアコンテンツデータを含んだ状態で、メディアプレゼンテーション装置６４に渡される。一例を挙げると、メディアプレゼンテーション装置６４は、ディスクプレーヤである。
【００２４】
ホログラフィックデータ記憶用ディスクには、射出成形可能な熱可塑性材料をベースとするディスク材料が利用可能である。従来のＣＤ／ＤＶＤと同様に、このディスクは、光学式メディアプレーヤにおいて比較的高速で回転可能であり、実時間記録及び読み出しシステムでは数百から数千回転／分（ｒｐｍ）で回転する。ディスクの振動及びブレは、典型的には最大で１００μｍであり、これは、典型的なマイクロホログラムサイズ（例えば、１０μｍ未満）よりも大きい。したがって、実時間の追跡及び焦点合わせができるように、ディスク上のトラックを用いることが可能である。一般に、マルチレイヤホログラフィック記憶用材料からの閾値応答が望まれる。閾値材料としては、色素ドープ熱可塑性材料、ブロックコポリマー、エネルギー伝達材料などが含まれる。ビット単位のホログラフィックデータ記憶のための閾値材料の詳細については、本出願と同じ譲受人に譲渡された、参照によりその全体が本明細書に組み込まれている米国特許第７３８８６９５号を参照されたい。
【００２５】
図４は、改良されたホログラフィックデータディスクを提供する方法１００の各ステップを表すフローチャートである。方法１００は、ステップ１０２において、複数のマルチメディアコンテンツを提供することを含み、それらのマルチメディアの少なくとも１つが、１つ又は複数の暗号鍵でロックされている。実施形態によっては、異なる複数の解像度のマルチメディアコンテンツを提供することもある。別の実施形態では、１つ又は複数の映画を提供し、それぞれの映画を見たり、それぞれの映画に対応する予告編をロック解除したりするには、１つ又は複数の暗号鍵が必要となる。また別の実施形態では、複数の特定リージョンで再生可能な異なる複数のバージョンの映画を提供する。一実施形態において、暗号鍵は、ディスク上に配置されている。別の実施形態では、暗号鍵は、外部メディア内に配置されている。別の例示的実施形態において、暗号鍵は、通信チャネル経由でダウンロードされる。実施形態によっては、マルチメディアコンテンツを提供することに「賞品」の提供を含むこともあり、この場合、特定の日に暗号鍵が解除され、その鍵と一致するディスクが賞品をリリースする。一例を挙げると、ある特定のバンドのファンであれば、無料のライブ録音又は未リリースの曲が入ったバージョンを受け取ると、本当に嬉しいであろう。その鍵と一致するディスクが１枚しかない場合、これはコレクターズアイテムになるであろう。別の実施形態では、マッシヴパラレルゲーム（ｍａｓｓｉｖｅｌｙ  ｐａｒａｌｌｅｌ  ｇａｍｅｓ）において、特定の日に特定のディスクが、これらのディスクの所有者に役立つであろう特定の情報／ツールをリリースする。これによって、プレーヤは、複数のディスクを購入する気になるであろう。一例を挙げると、特定のアクティビティを実行した後、又は、追加支払を行った後に限り、キーイング変数（ｋｅｙｉｎｇ  ｖａｒｉａｂｌｅｓ）がリリースされる。
【００２６】
一実施形態においては、マルチメディアコンテンツを提供することに、１つ又は複数の暗号鍵を用いて、特定の記録済みメディアの、コマーシャルや予告編やプレビューがないバージョンを暗号化解除することを含む。別の実施形態では、初期製造工程において、複数の暗号鍵をログラフィックディスク上に配置できるように、暗号鍵は、ディスク上の物理的に隔離された特定可能な位置に配置された後、選択的に破壊又は消去される。そのような方法により、ディスク上のメディアのバージョンのラージセットを暗号化解除するのに必要な鍵を含むディスクを均質に製造することが可能になる。秘密鍵を破壊又は消去することにより、これらのディスクを更に選択的にダウングレードして、様々な独自の製品を作製することが可能である。別の実施形態では、１つ又は複数の暗号鍵を用いて、特定の記録済みメディアの、様々なデジタル権利管理システム又はポリシーを有するバージョン、又はデジタル権利管理システムをまったく有しないバージョンを暗号化解除することができる。更に別の実施形態では、１つ又は複数の暗号鍵を用いて、信頼性のあるパス、又は信頼性のあるコンピューティングシステムを必要とせずに再生可能な、特定の記録済みメディアのバージョンを暗号化解除することが可能である。一例示的実施形態では、１つ又は複数の暗号鍵を用いて、特定の記録済みメディアの一部を、一定時間にわたり或るスケジュールに従って暗号化解除することが可能であり、このことは、暗号鍵をスケジュールに従って解除することにより可能である。別の例示的実施形態では、１つ又は複数の暗号鍵を用いて、鍵のセット又はメニューをロック解除することができる。
【００２７】
ステップ１０４では、許可されたユーザの要求に応じてマルチメディアをロック解除する暗号化解除システムを提供する。一実施形態では、出力フォーマッタが提供され、出力フォーマッタは、ディスクから出力されたデータストリームを、受信し、暗号化解除し、メディアプレゼンテーション装置でプレゼンテーションするためにフォーマットする。
【００２８】
したがって、以上に説明してきた、機能が改良されたホログラフィックディスク及びこれを提供する方法の各種実施形態は、様々なマルチメディアコンテンツを１つのホログラフィックディスクで提供する方法を提供する。このシステム及び方法により、他のオプションのマルチメディアコンテンツを含む上記ディスクの製造に既存の製造工程を利用できるので、均質な製造が可能になる。したがって、異なる複数のマルチメディアコンテンツを収容するために別々のディスクを使用するのであれば、そのたびに別々の会計、宣伝、及び出荷の手続きが必要になるところを、これらの技術により、コスト効率の良い手段を製造者、流通者、及び販売者に提供できる。これらの技術及びシステムにより、更に、同じ製造工程のままで、有料アップグレードサービスなどを顧客に提供できる。
【００２９】
もちろん、どの特定の実施形態でも、必ずしも全ての上述のそのような目的又は利点を達成しなくてもよいことを理解されたい。したがって、当業者に明らかなように、本明細書に記載のシステム及び技術が、例えば、本明細書で教示又は提案され得るその他の目的又は利点を必ずしも達成しなくても、本明細書の教示の如く１つ又は複数の利点を達成又は最適化して実現化又は実行していればよい。
【００３０】
また、当業者に明らかなように、異なる実施形態の間には各種機能の互換性がある。例えば、１つの実施形態に基づいて説明した、複数のバージョンのビデオゲームを含むディスクを、別の実施形態に基づいて説明した、外部メディアにある１つ又は複数の暗号鍵にアクセスしての使用に適合させることができる。同様に、当業者であれば、記載した各種機能、並びに機能ごとにその他の既知の等価物を組み合わせたり突き合わせたりして、本開示の企図にしたがった更なるシステム及び技術を構築することができる。
【００３１】
本発明の一部の特徴についてのみ図示及び説明してきたが、当業者には多様な修正及び改変形態が想到可能であろう。したがって、添付の特許請求の範囲は、かかる修正及び改変形態も本発明の技術的範囲に含むことを意図している。
【符号の説明】
【００３２】
１０  ホログラフィックデータ記憶ディスク
１１  マルチメディアコンテンツ
１２  レイヤ
１４  レイヤ
１６  レイヤ
２６  中心軸
２８  光学式読み取り装置
３２  読み取りビーム及び反射ビーム
３６  処理装置
４２  データストリーム
６０  暗号化部分を暗号化解除するシステム
６４  メディアプレゼンテーション装置
６８  出力フォーマッタ
７４  暗号化解除されたデータストリーム
７６  フォーマットされたデータストリーム
１００  改良されたホログラフィックデータディスクを提供する方法
１０２  複数のマルチメディアコンテンツを提供する（これらのマルチメディアの少なくとも１つが、１つ又は複数の暗号鍵でロックされている）
１０４  許可されたユーザの要求に応じてマルチメディアをロック解除する暗号化解除システムを提供する
【図１】
2011070760.tif 000003
【図２】
2011070760.tif 000004
【図３】
2011070760.tif 000005
【図４】
2011070760.tif 000006